(57)【要約】【課題】コンピュータからカード及び他の部品を取り外すメカニズムを提供する。【解決手段】本発明は、支持構造からコンピュータ部品を便利且つ容易に取り外す構造に関する。一般的なコンピュータ部品は、ＧＰＵトレイ内のＰＣＩｅカードである。開示された構造は、コンピュータ部品を取り外すための道具の使用を必要とせず、さらには、コンピュータ部品を、スペースの制限のために通常取り外すことができない場合に用いることができる。この構造は、コンピュータ部品を、人の指で容易に把持して、取り外すことができる高さまで持ち上げる。【選択図】図１
2019169123.tif 000002
【特許請求の範囲】
【請求項１】
支持構造からコンピュータ部品を取り外す取り外し装置であって、
前記支持構造から取り外されるコンピュータ部品と係合し、持ち上げることができる少なくとも１つの爪を含む取り外しフックと、
前記取り外しフックに取り付けられる固定構造であって、前記固定構造及び前記少なくとも１つの爪を持ち上げる持ち上げ構造が設けられている固定構造と、
を有することを特徴とする取り外し装置。
【請求項２】
前記取り外しフックに接続され、レバーとして動作する２つのアームを備え、前記２つのアームは、前記少なくとも１つの爪から離れる方向に延在することを特徴とする請求項１に記載の取り外し装置。
【請求項３】
前記コンピュータ部品の持ち上げ量は、人の指で前記コンピュータ部品を把持するのに十分な量であることを特徴とする請求項１に記載の取り外し装置。
【請求項４】
前記コンピュータ部品はＰＣＩｅカードであって、前記支持構造はＧＰＵトレイを有することを特徴とする請求項１に記載の取り外し装置。
【請求項５】
支持構造からコンピュータ部品を取り外す取り外し装置であって、
取り外しレバーと、
取り外しベースと、を備え、
前記取り外しベース及び前記取り外しレバーは、シャフトによって互いに枢接されており、前記取り外しレバーの端部は、前記コンピュータ部品と係合するように形成されており、前記支持構造から前記コンピュータ部品を持ち上げることを特徴とする取り外し装置。
【請求項６】
前記シャフトは、前記取り外しレバーを、人の指で前記コンピュータ部品を把持可能な位置まで持ち上げるのに十分な角度まで回転させることを特徴とする請求項５に記載の取り外し装置。
【請求項７】
取り外すための組み合わせであって、
トレイ又はシャーシの何れかに位置する複数のコンピュータ部品と、
前記トレイ又はシャーシから、前記複数のコンピュータ部品のうち少なくとも１つのコンピュータ部品を取り外し、持ち上げる少なくとも１つの取り外し装置と、を備え、
前記少なくとも１つの取り外し装置は取り外しレバーを備え、前記取り外しレバーは取り外しベースに枢接されており、前記取り外しレバーは、前記コンピュータ部品と係合する端部であって、前記トレイ又はシャーシから前記コンピュータ部品を持ち上げる端部を有することを特徴とする取り外すための組み合わせ。
【請求項８】
前記トレイ又はシャーシ上のレールを備え、前記レールは、前記レールにおいて複数のスロットを画定するすることを特徴とする請求項７に記載の取り外すための組み合わせ。
【請求項９】
前記取り外しレバーと組み合わせられる取り外しフックを有し、前記取り外しフックは、少なくとも１つのアームを備え、前記少なくとも１つのアームは、前記レールによって画定されたスロットを通過することを特徴とする請求項８に記載の取り外すための組み合わせ。
【請求項１０】
前記取り外しフックは、前記少なくとも１つのアームの端部上のフランジを有することを特徴とする請求項８に記載の取り外すための組み合わせ。
【発明の詳細な説明】
【技術分野】
【０００１】
本発明は、支持構造からコンピュータ部品を取り外す便利な構造に関し、特に、開示される設備構造は、コンピュータ部品を取り外すための道具の使用を必要とせず、且つ、スペースの制限のために通常取り外すことのできないコンピュータ部品に用いることができるメカニズムに関する。
【背景技術】
【０００２】
例えばプリント回路基板（ＰＣＢ）、トレイ又はシャーシ等のように、支持構造に固定する必要のあるコンピュータ部品の多くの例が存在する。しかし、場合によっては、これらの部品のいくつかは、例えば修理や交換のために、コンピュータ支持構造から取り外すことができなければならない。このような部品の一例は、グラフィックスプロセッシングユニット（ＧＰＵ）トレイから取り外されるペリフェラルコンポーネントインターコネクト（ＰＣＩｅ）カードである。このタイプのＰＣＩｅカードでは、通常、道具を使用して、ＧＰＵトレイからＰＣＩｅカードを取り外す必要がある。しかし、ＰＣＩｅカードの使用は例示的なものに過ぎず、これに限定されることなく、多くのコンピュータ部品は、部品を除去及び／又は交換するために道具の助力を必要とする。
【０００３】
長年、道具を携帯することなく、ＰＣＩｅカードを含むコンピュータ部品をコンピュータ支持構造から取り外す機能を提供する必要があった。さらに、長年、特に、道具を使用したとしても、スペースの制限によってこのようなコンピュータ部品の取り外しが複雑になる場合には、かかるコンピュータ部品を取り外す方法の改善が必要とされていた。
【発明の概要】
【発明が解決しようとする課題】
【０００４】
本発明は、例えばトレイ又はシャーシ等の支持構造からコンピュータ部品を固定及び取り外すための新たな設備構造を提供することを目的とする。
【０００５】
また、本発明は、道具を必要とすることなく、コンピュータ部品を支持構造から容易に取り外すことができる新たな設備構造を提供することを目的とする。
【課題を解決するための手段】
【０００６】
本発明の新たな設備構造は、スペースの制限のために以前では取り外しが複雑であったり不可能であった支持構造からコンピュータ部品を取り外すことを可能にする。
【０００７】
本発明の一実施形態において、蝶ねじを有する取り外しフックが、取り外しフックに取り付けられた固定構造に加えて提供される。
【０００８】
別の実施形態において、プッシュレバーは、取り外しベースと、取り外しベースに枢着された取り外しレバーと、を有する。
【０００９】
さらに別の実施形態において、ＰＣＩｅカードを取り外すシステムは、取り外しフックと取り外しレバーとの組み合わせにより達成される。
【００１０】
これらの目的及び他の目的は、詳細な説明及び添付図面を参照することによって、よりよく理解されるであろう。
【発明の効果】
【００１１】
本発明によれば、道具を必要とすることなく、コンピュータ部品を支持構造から容易に取り外すことができる。
【図面の簡単な説明】
【００１２】
【図１】本開示による、取り外しフックの分解図である。
【図２Ａ】図１の取り外しフックの平面図である。
【図２Ｂ】図１の取り外しフックの正面図である。
【図２Ｃ】図１の取り外しフックの左側面図である。
【図２Ｄ】図１の取り外しフックの斜視図である。
【図３Ａ】本開示の取り外しフックによって固定される複数のＰＣＩｅカードを有するＧＰＵの斜視図である。
【図３Ｂ】図３Ａの詳細を示す一部拡大図である。
【図３Ｃ】蝶ねじを上方に引いてＰＣＩｅカードを取り外した場合の蝶ねじ及び取り外しフックの概略図である。
【図４Ａ】ＰＣＩｅカード上に置かれた取り外しフックロック構造の概略図である。
【図４Ｂ】蝶ねじが上方に持ち上げられた場合に、持ち上げ力をＰＣＩｅカードに加える際の取り外しフックの取り外し構造の概略図である。
【図５Ａ】第２実施形態による、コンピュータ部品をコンピュータから持ち上げるための持ち上げレバー構造の分解図である。
【図５Ｂ】図５Ａの持ち上げレバー構造の平面図である。
【図５Ｃ】図５Ａの持ち上げレバー構造の正面図である。
【図５Ｄ】図５Ａの持ち上げレバー構造の右側面図である。
【図６Ａ】取り外しフックと持ち上げレバーとの協働によって取り外される複数のＰＣＩｅカードを有するＧＰＵの斜視図である。
【図６Ｂ】図６Ａの詳細を示す一部拡大図である。
【図６Ｃ】図６ＡのＰＣＩｅカードの取り外しの詳細を示す拡大図である。
【図７Ａ】ＧＰＵ内に固定されたＰＣＩｅカードを取り外すためのシステムを示す図である。
【図７Ｂ】図７Ａの取り外しレバー部分のみを示す概略図である。
【図７Ｃ】図７ＡのＰＣＩｅカードを持ち上げてＧＰＵから取り外す取り外しレバーの概略図である。
【図７Ｄ】図７ＣのＰＣＩｅカードを持ち上げてＧＰＵから取り外す取り外しレバー部分のみの角変位を示す概略図である。
【発明を実施するための形態】
【００１３】
本発明は添付図面を参照して説明され、同様の又は同等の要素を示すために図面全体に亘って同様の符号が用いられている。図面は、必ずしも縮尺通りに描かれておらず、単に本発明を例示するために提供されている。例示的な応用を参考にして、本発明のいくつかの態様を以下に説明する。本発明を十分に理解するために、いくつかの特定の詳細、関係及び方法を示していることを理解されたい。当業者であれば、各図面に全ての要素が示されているわけではないことを理解するであろう。しかし、当業者であれば、１つ以上の特定の詳細又は他の方法を用いない場合であっても本発明を実施できることを容易に理解するであろう。他の実施例では、本発明を不明瞭にすることを避けるために、周知の構造又は動作を詳細に示していない。本発明は、いくつかの工程が異なる順序及び／又は他の工程やイベントと同時に発生し得るので、図示された工程やイベントの順序によって制限されない。さらに、本発明による方法を実行するために、図示された全ての工程やイベントが必要とされているわけではない。
【００１４】
上述したように、例えばカード等の多くのコンピュータ部品は、コンピュータ又はコンピュータの一部（例えば、シャーシ、トレイ、マザーボード等）の決まった位置に固定される。検査、修理又は交換のために、これらのコンピュータ部品を固定位置から取り外す必要のある機会が存在する。一般的に、これらの部品は、道具の助力によってのみ取り外すことができる。なぜならば、手又は指のみを使用するためのスペースには限りがあり、部品を固定位置から取り外すことができないからである。これは、使用者が道具を携帯していなければならないことを意味するだけでなく、スペースが不足しているために、コンピュータ部品をその位置から持ち上げたり取り外すためにいくつかの道具が必要になる場合がある。図１は、本発明による例示的な取り外しフック構造１０の詳細な分解図である。
【００１５】
図２Ａは、取り外しフック構造１０の平面図であり、旋回爪２０，２１（図２Ａには示されていない）を持ち上げるのを可能にする蝶ねじ１６，１７を明瞭に示している。図２Ｂは、図１の取り外しフックの正面図であり、固定構造１５の下の位置のアーム１３，１４の位置を示している。図２Ｃは、図１の取り外しフックの左側面図であり、爪２０は、蝶ねじ１６，１７が上方に持ち上げられたときに、カードの持ち上げを開始する。図２Ｄは、取り外しフック構造１０の斜視図である。取り外しフック１２（図２Ａに示す）は、爪２０，２１を、支持構造内のコンピュータ部品を指示する位置から枢動させるレバーとして動作し、コンピュータ部品の操作位置からコンピュータ部品を持ち上げる１つ以上のアーム１３，１４を備える。アーム１３，１４は、持ち上げフック構造１０を回転させるときにレバーとして機能するように設けられている。固定構造１５は、取り外しフック１２を取り付けるために設けられている。１つ以上の蝶ねじ１６，１７は、取り外しフック１２を、コンピュータ部品を保持する位置から、シャーシ、トレイ又はコンピュータの他の支持構造に移動させるために設けられている。スクリュー１８，１９のシリーズは、固定構造１５を取り外しフック１２に固定するために用いられている。
【００１６】
図３Ａ〜図３Ｃは、ＧＰＵトレイ内のＰＣＩｅカードの環境における取り外しフック１０の使用を示しているが、ＰＣＩｅカード以外の部品を取り外すために、これと同じ構成及び構造を採用することができる。ＧＰＵトレイ３０は、ＰＣＩｅカード３１，３２のシリーズ等を有する。ＰＣＩｅカードを保持し、取り外すために、取り外しフック構造１０が使用される。図３Ｂに示すように、レール２２が設けられている。レール２２は、複数の開口又はスロット２６，２７，２８，２９を画定しており、持ち上げフック構造１０のアーム１３，１４は、開口又はスロット２６，２７，２８，２９を通過して延在することができる。アーム１３，１４は、レール２２内の隣接スロット（図３Ｂ、図３Ｃ）を通過して延在することができる。特に、アーム１３，１４にフランジ２３，２４がそれぞれ設けられている場合には、レール２２は、アーム１３，１４を保持し、捕捉することができる。取り外しフック構造１０は、ＰＣＩｅカードが操作位置にある場合に、ＰＣＩｅカードを必要な位置に保持することができる。しかし、ＰＣＩｅカードを取り外す必要がある場合、図３Ｃに示すように、蝶ねじ１６，１７が上方に引かれる。蝶ねじ１６，１７を引き上げるこの動作は、旋回爪２０，２１を回転させるように作用し、これにより、ＰＣＩｅカードをＧＰＵトレイ３０から同時に取り外し、持ち上げる。
【００１７】
この動作は、図４Ａ及び図４Ｂに概略的に示されている。アーム１３，１４の各々がレール２２のスロット２９と相互作用すると、蝶ねじ１６，１７の最初の上方への移動（図４Ａに示す矢印８）は、徐々に回転運動（図４Ｂの矢印９）になる。図４Ａに概略的に示すように、ＰＣＩｅカード３１は、ＰＣＢ４０と正確に接触するように配置されている。ＰＣＩｅカード３１を取り外す必要がある場合、蝶ねじ１７を持ち上げることによって、アーム１４を回転させる。この動作は、爪２１を上方に枢動させ、爪２１を接触させ、次いでＰＣＩｅカード３１のフランジ３４を持ち上げ、ＰＣＩｅカード３１を取り外し、同時に持ち上げて、ＰＣＢ４０との接触を解除する。この動作は、ＰＣＩｅカード３１を６ｍｍ以上持ち上げることができ、これにより、ＰＣＩｅカード３１を人の指でつかむことができ、ＧＰＵトレイ３０から取り出すことができる。
【００１８】
図５Ａ〜図５Ｄは、第２実施形態による、持ち上げメカニズムを示す図であり、図１の取り外しフック持ち上げ構造とともに使用することができ、その代わりに使用することができる。図５Ａは、持ち上げベース５２を示しており、持ち上げベース５２には、例えばねじ（図示省略）等の留め具が挿通して、持ち上げベース５２を支持構造に固定するのを可能にするいくつかの開口５７，５８，５９，６０が画定されている。支持構造は、レール２２（図３Ｂ〜図３Ｃに示されている）であってもよいし、図１の取り外しフック１２であってもよい。図５Ｂは、図５Ａの平面図である。ボス５３，５５は、ボス５３，５５を貫通する開口を画定し、シャフト５４を収容して、取り外しレバー５６を持ち上げベース５２に固定する。図５Ｃは、図５Ａの正面図であり、取り外しレバー５６と持ち上げベース５２との間の枢接を明確に示している。図５Ｄは、図５Ａの右側面図である。取り外しレバー５６は、持ち上げフック１２の持ち上げ動作の代替となる別の持ち上げ動作を提供する。図５Ａは、ＰＣＩｅカード取り外しレバー５０を概略的に示す図であって、ＰＣＩｅカード取り外しレバー５０は、ＰＣＩｅカード取り外しベース５２を備える。ＰＣＩｅカード取り外しベース５２に枢接されるＰＣＩｅ取り外しレバー５６は、端部６７が終端となって、ＰＣＩｅカードと接触する。シャフト５４は、ＰＣＩｅ取り外しレバー５６及びＰＣＩｅカード取り外しベース５２の結合要素となるとともに、ＰＣＩｅ取り外しレバー５６がＰＣＩｅカード取り外しベース５２に対して枢動するのを可能にする。ＰＣＩｅカード取り外しベース５２は、ＰＣＩｅカード取り外しベースをコンピュータのトレイやシャーシに固定するために、例えばねじやリベット等の留め具を受け入れる目的で、複数の開口５７，５８，５９，６０を画定する。図５Ａの各部品は、図５Ｂ、図５Ｃ及び図５Ｄに示されている。
【００１９】
次に、ＰＣＩｅ取り外しレバー５６の操作を、図６Ａ〜図６Ｃに関連して説明する。ＧＰＵトレイ３０は、複数のＰＣＩｅカード３１，３２等を含む。ＰＣＩｅカード取り外しレバー５０は、留め具（図示省略）によってトレイ３０に取り付けられている。トレイ３０内の１つのＰＣＩｅカードをその位置から取り外したい場合、図６Ｂの矢印６４に示すように、取り外しレバー５６の突出端６５を押下することにより、取り外しレバー５６の端部が下方に移動する。図６Ｃの矢印６６に示すように、取り外しレバー５６の突出端６５が回転する。取り外しレバー５６の反対側の端部６７（図５Ｃに示されているが、図６Ｃでは隠れている）は、図６Ｃの矢印６８に示すように、ＰＣＩｅカード３２を上方に押し上げて、トレイ３０内から持ち上げる。
【００２０】
取り外しレバー５６の操作は、図７Ａ〜図７Ｄの概略図に関連してさらに理解することができる。図７Ｂに示すように、ＰＣＩｅカード３２は、ＰＣＢ４０上に位置する。ＰＣＩｅカード３２を取り外して持ち上げるために、下向きの力が矢印６４の方向に作用して、取り外しレバー５６の突出端６５に与えられる。取り外しレバー５６がシャフト５４に対して枢接されると、取り外しレバー５６の突出端６５に作用する下向きの力は、シャフト５４の回転運動αに変換される。これにより、取り外しレバー５６の反対側の端部６７がＰＣＩｅカードのフランジ３４に接触することによって、上方に持ち上げる力がＰＣＩｅブラケット６２に与えられる。この上方の持ち上げ力は、ＰＣＩｅカード３２をＰＣＢ４０から離す。いくつかの実施形態において、回転運動αは、約３５°以下の角度である。これにより、ＰＣＩｅカード３２を６ｍｍ以上持ち上げることができる。このＰＣＩｅカード３２の持ち上げ（図７Ｃ及び図７Ｄの矢印７０で示す）は、操作者がＰＣＩｅカード３２を把持し、ＰＣＩｅカード３２や他のコンピュータ部品のトレイ３０からの取り外しが完了するのに十分であるように選択することができる。このプロセスは、レバー５６０，５６１，５６２（図６Ｃ）を用いることによって、トレイ３０内の他のＰＣＩｅカード（例えば、ＰＣＩｅカード３１）に対しても繰り返すことができる。
【００２１】
本明細書で使用する用語は、特定の実施形態のみを説明するためのものであり、本発明を限定するものではない。本明細書で使用されるように、単数形「１つ」及び「その」は、特に断りのない限り複数形も含むことを意図している。さらに、「含む」、「有する」又はこれらの変形は、詳細な説明及び特許請求の範囲に使用される限りにおいて、「備える」と同様の態様で包含する。
【００２２】
他に定義されない限り、本明細書で使用される全ての用語（技術用語及び科学用語を含む）は、当業者によって一般的に理解されるのと同じ意味を有する。さらに、一般的に使用される辞書に定義された用語等の用語は、関連技術の文脈における意味と一致する意味を有すると解釈されるべきであり、本明細書で明示的に定義されていない限り、理想化された意味又は過度に形式的な意味で解釈されるべきではない。
【符号の説明】
【００２３】
８，９…矢印
１０…取り外しフック構造／持ち上げフック構造
１２…取り外しフック
１３，１４…アーム
１５…固定構造
１６，１７…蝶ねじ
１８，１９…スクリュー
２０，２１…爪／旋回爪
２２…レール
２３，２４…フランジ
２６〜２９…開口／スロット
３０…ＧＰＵトレイ／トレイ
３１，３２…ＰＣＩｅカード
３４…フランジ
４０…プリント回路基板
５０…ＰＣＩｅカード取り外しレバー
５２…持ち上げベース／取り外しベース
５３，５５…ボス
５４…シャフト
５６…取り外しレバー
５７〜６０…開口
６２…ＰＣＩｅカードブラケット
６４，６６，６８，７０…矢印
６５…突出端
６７…端部
５６０，５６１，５６２…レバー
α…回転運動
【図１】
2019169123.tif 000003
【図２Ａ】
2019169123.tif 000004
【図２Ｂ】
2019169123.tif 000005
【図２Ｃ】
2019169123.tif 000006
【図２Ｄ】
2019169123.tif 000007
【図３Ａ】
2019169123.tif 000008
【図３Ｂ】
2019169123.tif 000009
【図３Ｃ】
2019169123.tif 000010
【図４Ａ】
2019169123.tif 000011
【図４Ｂ】
2019169123.tif 000012
【図５Ａ】
2019169123.tif 000013
【図５Ｂ】
2019169123.tif 000014
【図５Ｃ】
2019169123.tif 000015
【図５Ｄ】
2019169123.tif 000016
【図６Ａ】
2019169123.tif 000017
【図６Ｂ】
2019169123.tif 000018
【図６Ｃ】
2019169123.tif 000019
【図７Ａ】
2019169123.tif 000020
【図７Ｂ】
2019169123.tif 000021
【図７Ｃ】
2019169123.tif 000022
【図７Ｄ】
2019169123.tif 000023